(57)【要約】【課題】本発明は、低消費電力で高輝度の表示が可能な表示装置を有する携帯機器を得る。【解決手段】電子部品を収納した筺体表面に形成された表示窓に、ＬＥＤ表示パネル９を設ける。ＬＥＤ表示パネル９では、複数の発光ダイオード８がマトリクス配列されている。そして、表示制御装置で、ＬＥＤ表示パネル９の発光ダイオード８を表示制御する。このように、携帯機器において、マトリクス配列した発光ダイオード８を設けることにより、低消費電力で高輝度な表示が可能になる。【選択図】図１
2007006508.tif 000002
【特許請求の範囲】
【請求項１】
電子部品を収納した筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
上記表示データを記憶する記憶部と、
上記ＬＥＤ表示パネル、表示制御装置、主制御装置及び記憶部へ給電する電池と
を備え、
上記主制御装置は、着信したとき又は通話中に上記記憶部の記憶した上記表示データを上記表示制御装置に出力することを特徴とする携帯機器。
【請求項２】
操作部を有する操作側筐体の一端と主表示部を有する表示側筐体の一端とを開閉可能に連結するヒンジと、
上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
上記表示データを記憶する記憶部と、
上記ＬＥＤ表示パネル、表示制御装置、主制御装置及び記憶部へ給電する電池と
を備え、
上記主制御装置は、着信したとき又は通話中に上記記憶部の記憶した上記表示データを上記表示制御装置に出力することを特徴とする携帯機器。
【請求項３】
電子部品を収納した筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
上記表示データを記憶する記憶部と、
上記ＬＥＤ表示パネル、表示制御装置、主制御装置及び記憶部へ給電する電池と
を備え、
上記主制御装置は、上記記憶部の記憶した上記表示データを上記表示制御装置に出力し、
上記表示制御装置は、入力した上記表示データに基づく表示パターンが左右方向又は上下方向にスクロールするよう上記ＬＥＤ表示パネルの上記発光ダイオードを表示制御することを特徴とする携帯機器。
【請求項４】
操作部を有する操作側筐体の一端と主表示部を有する表示側筐体の一端とを開閉可能に連結するヒンジと、
上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
上記表示データを記憶する記憶部と、
上記ＬＥＤ表示パネル、表示制御装置、主制御装置及び記憶部へ給電する電池と
を備え、
上記主制御装置は、上記記憶部の記憶した上記表示データを上記表示制御装置に出力し、
上記表示制御装置は、入力した上記表示データに基づく表示パターンが左右方向又は上下方向にスクロールするよう上記ＬＥＤ表示パネルの上記発光ダイオードを表示制御することを特徴とする携帯機器。
【請求項５】
電子部品を収納した筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
上記表示データを記憶する記憶部と、
上記ＬＥＤ表示パネル、表示制御装置、主制御装置及び記憶部へ給電する電池と
を備え、
上記主制御装置は、上記記憶部の記憶した上記表示データを上記表示制御装置に出力し、
上記表示制御装置は、入力した上記表示データに基づく表示パターンが点滅するように又は階調をつけて表示されるよう上記ＬＥＤ表示パネルの上記発光ダイオードを表示制御することを特徴とする携帯機器。
【請求項６】
操作部を有する操作側筐体の一端と主表示部を有する表示側筐体の一端とを開閉可能に連結するヒンジと、
上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
上記表示データを記憶する記憶部と、
上記ＬＥＤ表示パネル、表示制御装置、主制御装置及び記憶部へ給電する電池と
を備え、
上記主制御装置は、上記記憶部の記憶した上記表示データを上記表示制御装置に出力し、
上記表示制御装置は、上記表示データに基づく表示パターンが点滅するように又は階調をつけて表示されるよう上記ＬＥＤ表示パネルの上記発光ダイオードを表示制御することを特徴とする携帯機器。
【請求項７】
電子部品を収納した筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
上記表示データを記憶する記憶部と、
上記ＬＥＤ表示パネル、表示制御装置、主制御装置及び記憶部へ給電する電池と
を備え、
上記記憶部が記憶する上記表示データに基づいて前記ＬＥＤ表示パネルに表示される表示パターンは文字であることを特徴とする携帯機器。
【請求項８】
操作部を有する操作側筐体の一端と主表示部を有する表示側筐体の一端とを開閉可能に連結するヒンジと、
上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
上記表示データを記憶する記憶部と、
上記ＬＥＤ表示パネル、表示制御装置、主制御装置及び記憶部へ給電する電池と
を備え、
上記記憶部が記憶する上記表示データに基づいて前記ＬＥＤ表示パネルに表示される表示パターンは文字であることを特徴とする携帯機器。
【請求項９】
請求項１乃至請求項８のいずれか一つに記載の携帯機器において、上記記憶部が記憶する上記表示データは、操作部の操作又はデータ受信によって外部から入力されたことを特徴する携帯機器。
【請求項１０】
電子部品を収納した筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
時間情報を出力する計測装置と、
上記ＬＥＤ表示パネル、表示制御装置、主制御装置及び計測装置へ給電する電池と
を備え、
操作により主制御装置は、上記計測装置から現在時刻を読み出してそれを上記表示データとして上記表示制御装置へ出力することを特徴とする携帯機器。
【請求項１１】
操作部を有する操作側筐体の一端と主表示部を有する表示側筐体の一端とを開閉可能に連結するヒンジと、
上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、
入力した表示データに基づいて上記ＬＥＤ表示パネルの発光ダイオードを表示制御する表示制御装置と、
上記表示データを上記表示制御装置に出力する主制御装置と、
時間情報を出力する計測装置と、
上記ＬＥＤ表示パネル、表示制御装置、主制御装置及び計測装置へ給電する電池と、
上記操作側筺体及び上記表示側筺体を閉じた状態で操作可能な操作キーと
を備え、
上記操作キーの操作により上記主制御装置は、上記計測装置から現在時刻を読み出してそれを上記表示データとして上記表示制御装置へ出力することを特徴とする携帯機器。
【発明の詳細な説明】
【技術分野】
【０００１】
本発明は、表示装置を設けた例えば、携帯電話機等の携帯機器に関し、特に、表示装置の消費電力を低減し、かつ、表示装置を点灯したときの輝度を向上させた携帯機器に関する。
【背景技術】
【０００２】
従来、着信情報を報知する表示装置を設けた携帯電話機として特許文献１に記載されたものがある。この携帯電話機は、２つ折れ型の携帯電話機であって、主表示部を設けた表示側筐体の裏面に着信情報表示部として、キャラクタ表示部を設けたものである。電話着信があった場合、電話の図柄のキャラクタを内部に設けたバックライトとしてのＬＥＤ（発光ダイオード）が発光することにより光らせて、着信を報知するものである。
【０００３】
この従来技術は、発光ダイオードの発光をバックライトとして使用しており、ユーザが離れた位置で電話着信を確認するためにはキャラクタ表示部を高輝度に光らせる必要があるが、そのためには発光ダイオードに高電流を流す必要があった。すなわち、この従来技術は、キャラクタ表示部を高輝度に光らせることができないか、若しくは高輝度に光らせることができたとしても、大きな消費電力が必要になる問題点がある。
【０００４】
また、別の従来技術として、特許文献２に記載されたものがある。この従来技術は、２つ折れ型の携帯電話機であって、主表示部を設けた表示側筐体の裏面に補助表示部として液晶表示装置等からなる表示手段を設けたものである。表示手段は通話時間をデジタル的に数値を表示するとともに、アナログ的に砂時計を表示するようにしたものである。
【０００５】
しかし、この従来装置も発光ダイオードをバックライトとして使用しており、かつ、液晶表示装置の透過率が１０％以下と低いことから、上述の従来技術と同様に、高輝度に表示させることができないか、若しくは高輝度に表示させることができたとしても、大きな消費電力が必要になる問題点がある。
【０００６】
【特許文献１】特開２００２−５１１３５号公報
【特許文献２】特開２００１−１３６２４７号公報
【発明の開示】
【発明が解決しようとする課題】
【０００７】
本発明は、低消費電力で高輝度の表示が可能な表示装置を有する携帯機器を得ることを目的としている。
【０００８】
本発明に係る携帯機器の表示装置は、文字、画像等の様々な表示を高輝度に表示することができる。
【課題を解決するための手段】
【０００９】
この発明の第１の携帯機器は、電子部品を収納した筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、上記表示データを記憶する記憶部と、上記ＬＥＤ表示パネル、表示制御装置、主制御装置及び記憶部へ給電する電池とを備え、上記主制御装置は、着信したとき又は通話中に上記記憶部の記憶した上記表示データを上記表示制御装置に出力する。
【００１０】
また、この発明の第２の携帯機器は、操作部を有する操作側筐体の一端と主表示部を有する表示側筐体の一端とを開閉可能に連結するヒンジと、上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、上記表示データを記憶する記憶部と、上記ＬＥＤ表示パネル、表示制御装置、主制御装置及び記憶部へ給電する電池とを備え、上記主制御装置は、着信したとき又は通話中に上記記憶部の記憶した上記表示データを上記表示制御装置に出力する。
【００１１】
また、この発明の第３の携帯機器は、電子部品を収納した筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、上記表示データを記憶する記憶部と、上記ＬＥＤ表示パネル、表示制御装置、主制御装置及び記憶部へ給電する電池とを備え、上記主制御装置は、上記記憶部の記憶した上記表示データを上記表示制御装置に出力し、上記表示制御装置は、入力した上記表示データに基づく表示パターンが左右方向又は上下方向にスクロールするよう上記ＬＥＤ表示パネルの上記発光ダイオードを表示制御する。
【００１２】
また、この発明の第４の携帯機器は、操作部を有する操作側筐体の一端と主表示部を有する表示側筐体の一端とを開閉可能に連結するヒンジと、上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、上記表示データを記憶する記憶部と、上記ＬＥＤ表示パネル、表示制御装置、主制御装置及び記憶部へ給電する電池とを備え、上記主制御装置は、上記記憶部の記憶した上記表示データを上記表示制御装置に出力し、上記表示制御装置は、入力した上記表示データに基づく表示パターンが左右方向又は上下方向にスクロールするよう上記ＬＥＤ表示パネルの上記発光ダイオードを表示制御する。
【００１３】
また、この発明の第５の携帯機器は、電子部品を収納した筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、上記表示データを記憶する記憶部と、上記ＬＥＤ表示パネル、表示制御装置、主制御装置及び記憶部へ給電する電池とを備え、上記主制御装置は、上記記憶部の記憶した上記表示データを上記表示制御装置に出力し、上記表示制御装置は、入力した上記表示データに基づく表示パターンが点滅するように又は階調をつけて表示されるよう上記ＬＥＤ表示パネルの上記発光ダイオードを表示制御する。
【００１４】
また、この発明の第６の携帯機器は、操作部を有する操作側筐体の一端と主表示部を有する表示側筐体の一端とを開閉可能に連結するヒンジと、上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、上記表示データを記憶する記憶部と、上記ＬＥＤ表示パネル、表示制御装置、主制御装置及び記憶部へ給電する電池とを備え、上記主制御装置は、上記記憶部の記憶した上記表示データを上記表示制御装置に出力し、上記表示制御装置は、上記表示データに基づく表示パターンが点滅するように又は階調をつけて表示されるよう上記ＬＥＤ表示パネルの上記発光ダイオードを表示制御する。
【００１５】
また、この発明の第７の携帯機器は、電子部品を収納した筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、上記表示データを記憶する記憶部と、上記ＬＥＤ表示パネル、表示制御装置、主制御装置及び記憶部へ給電する電池とを備え、上記記憶部が記憶する上記表示データに基づいて前記ＬＥＤ表示パネルに表示される表示パターンは文字である。
【００１６】
また、この発明の第８の携帯機器は、操作部を有する操作側筐体の一端と主表示部を有する表示側筐体の一端とを開閉可能に連結するヒンジと、上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、上記表示データを記憶する記憶部と、上記ＬＥＤ表示パネル、表示制御装置、主制御装置及び記憶部へ給電する電池とを備え、上記記憶部が記憶する上記表示データに基づいて前記ＬＥＤ表示パネルに表示される表示パターンは文字である。
【００１７】
また、この発明の第９の携帯機器は、電子部品を収納した筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、時間情報を出力する計測装置と、上記ＬＥＤ表示パネル、表示制御装置、主制御装置及び計測装置へ給電する電池とを備え、操作により主制御装置は、上記計測装置から現在時刻を読み出してそれを上記表示データとして上記表示制御装置へ出力する。
【００１８】
また、この発明の第１０の携帯機器は、操作部を有する操作側筐体の一端と主表示部を有する表示側筐体の一端とを開閉可能に連結するヒンジと、上記表示側筐体の主表示部が設けられた面以外の筐体表面に形成された表示窓に配置され、外部に向けて投光する複数の発光ダイオード（ＬＥＤ）を平面上にマトリクス配列したＬＥＤ表示パネルと、入力した表示データに基づいて上記ＬＥＤ表示パネルの発光ダイオードを表示制御する表示制御装置と、上記表示データを上記表示制御装置に出力する主制御装置と、時間情報を出力する計測装置と、上記ＬＥＤ表示パネル、表示制御装置、主制御装置及び計測装置へ給電する電池と、上記操作側筺体及び上記表示側筺体を閉じた状態で操作可能な操作キーと
を備え、上記操作キーの操作により上記主制御装置は、上記計測装置から現在時刻を読み出してそれを上記表示データとして上記表示制御装置へ出力する。
【発明の効果】
【００１９】
この発明の第１，３，５，７，９の携帯機器によれば、マトリクス配置した発光ダイオードにより、低消費電力で高輝度の表示が可能になる。
【００２０】
また、この発明の第２，４，６，８，１０の携帯機器によれば、二つ折れ型の携帯機器にマトリクス配置した発光ダイオードが、低消費電力で高輝度の表示を可能にする。
【発明を実施するための最良の形態】
【００２１】
第１図は、二つ折れ型の携帯電話機に本発明を適用した実施の形態１を示す斜視図であり、第１図（ａ）は二つ折れ型携帯電話機を開いた状態で正面側から見た斜視図、第１図（ｂ）は背面側から見た斜視図である。
【００２２】
図において、１は複数の操作キー２を配列した操作部を有した操作側筐体であり、一端側がヒンジ３により表示側筐体４の一端と連結されている。操作側筐体１の他端側にはユーザが通話に使用するマイク５が設けられている。一方、表示側筐体４の正面側には第１図（ａ）に示されるように文字や画像を表示する主表示部６が設けられている。この主表示部６は液晶表示装置（ＬＣＤ）である。表示側筐体４の他端側には通話相手の音声を出力するレシーバ７が設けられている。また、第１図（ｂ）に示すように表示側筐体４の背面側には複数の発光ダイオード（ＬＥＤ）８がマトリクス配列されたＬＥＤ表示パネル９が設けられている。このＬＥＤ表示パネル９は、表示側筐体４背面に形成した表示窓に装着されており、発光ダイオード８をｎ行×ｍ列、図の例では９行１７列の１５３個配列している。発光ダイオード８は、３．２ｍｍピッチで実装されており、ＬＥＤ表示パネル９の表示部分の大きさは約２．４インチ（５３．９ｍｍ×２８．３ｍｍ）である。したがって、ＬＥＤ表示パネル９は、表示側筐体４背面の略全域を占めており、比較的大きな画面に高輝度の表示をすることができる。
【００２３】
第２図は、本発明の実施の形態１に係る２つ折れ型携帯電話機を閉じた状態を示している。図において、１０は表示側筐体４の側面に配置したサイドキーであり、操作側筐体１及び表示側筐体４を閉じた状態で操作可能になっている。サイドキー１０は、ＬＥＤ表示パネル９の表示内容の切り替えや、表示をオン、オフする等のキーである。
【００２４】
次に、本発明の実施の形態１に係る２つ折れ型携帯電話機の回路構成について説明する。
【００２５】
第３図は、実施の形態１にかかる２つ折れ型携帯電話機ブロック構成図である。図において、１１は無線通信するためのアンテナで、通話相手から受信した電波を受信して、無線部１２へ入力する。無線部１２では入力した信号を増幅及び周波数変換してベースバンドＩＣ１３へ入力する。主制御装置としてのベースバンドＩＣ１３は、携帯電話機全体の制御を司るものであり、メモリ部１４に記憶されているプログラムにしたがって動作する。メモリ部１４はベースバンドＩＣ１３を動作させるプログラムの他に各種のデータ及びベースバンドＩＣ１３が処理するデータを記憶している。
【００２６】
ベースバンドＩＣ１３は通話着信があった場合、音響部１５を介してスピーカを鳴動し、着信をユーザに報知すると共に、ユーザが着信応答した場合、通話相手の端末と回線を接続して、マイク５及びレシーバ７を使って通話を可能にする。ユーザの音声はマイクを通して携帯電話機に取り込まれ、音響部１５、ベースバンドＩＣ１３、無線部１２、アンテナ１１を介して送信される。
【００２７】
１７は操作キー２及びサイドキー１０からなる操作部である。１８はＲＴＣ（ｒｅａｌ  ｔｉｍｅ  ｃｌｏｃｋ）であり、正確な時間情報を出力する。電源制御部１９は電池２０の発生する電力を各部に供給すると共に、充電端子２１から入力する電力を電池２０へ給電し、電池２０を充電するものである。なお、電池２０は操作側筐体１に収納されている。２２は近距離データ通信を行うための赤外線通信手段、２３は携帯電話機に内蔵したカメラ（第１図、第２図には図示せず。）である。
【００２８】
９はＬＥＤ表示パネルであって、制御マイコン２４、Ｘ方向制御ドライバ２５、Ｙ方向制御ドライバ２６、及び９行１７列にマトリクス配置された発光ダイオード８からなる。制御マイコン２４、Ｘ方向制御ドライバ２５、Ｙ方向制御ドライバ２６は発光ダイオード８を表示制御する表示制御装置として機能する。
【００２９】
本発明による携帯機器は、携帯機器筐体の表面に発光ダイオード８をマトリクス配置したもので、低消費電力で高輝度の表示が得られる。第４図は、本発明によるＬＥＤ表示パネル９に画像を表示させた表示例を示している。第４図（ａ）は、図形、模様などのパターンを表示させた例であり、例えば、携帯電話が着信したとき、或いは通話中に表示させるものである。ＬＥＤ表示パネル９に表示されているパターンは左右方向、上下方向に表示をスクロールさせたり、表示を点滅させたり、諧調をつけて表示したりすることができる。したがって、高輝度の表示で、しかもインパクトのある表示ができることから、ユーザから離れた位置で携帯電話機が着信していてもユーザは着信に気付くことができる。
【００３０】
このような表示パターンは、第３図のメモリ部１４に記憶しており、ベースバンドＩＣ１３が着信を検知すると、メモリ部１４から表示パターンのデータを読み出して制御マイコン２４へ転送する。表示パターンのデータを受け取った制御マイコン２４は、そのデータに基づいてＸ方向制御ドライバ２５及びＹ方向制御ドライバ２６を駆動し、マトリクス配置された発光ダイオード８に図形、模様などのパターンを表示させる。
【００３１】
なお、表示パターンは、ユーザが操作キー２によりキー入力して作成し、メモリ部１４へ登録することも可能であるし、外部からデータ受信した表示パターンをメモリ部１４へ登録することもできる。
【００３２】
第４図（ｂ）はＬＥＤ表示パネル９に時間を表示させた例を示している。図示では２２時３５分を表示している。この表示は、例えば、ユーザが現在時間を知りたいときにサイドキー１０を操作して表示させるものである。
【００３３】
第３図において、操作部１７のサイドキー１０をユーザが押下したとすると、ベースバンドＩＣ１３がサイドキー１０の押下を検出する。ベースバンドＩＣ１３は、ＲＴＣ１８から現在時刻を読み出し、この時間データをベースバンドＩＣ１３内でメモリ部１４に格納されている表示パターンデータに変換する。ベースバンドＩＣ１３で変換された表示パターンデータは制御マイコン２４に転送され、該制御マイコン２４は、Ｘ方向制御ドライバ２５及びＹ方向制御ドライバ２６を駆動してマトリクス配置された発光ダイオード８に時間表示のパターンを表示させる。
【００３４】
サイドキー１０は二つ折れ型携帯電話機を閉じた状態で操作できるので、ユーザは現在時刻を知りたいときに即座に時間を確認することができる。
【００３５】
次に、第４図（ｃ）はＬＥＤ表示パネル９に文字を表示させた例を示している。図示の例は「ＦＩＧＨＴ」を表示させた例である。ＬＥＤ表示パネル９に表示させる文字は、ユーザが操作キー２により入力した文字パターンをメモリ部１４に登録しておくことも可能であるし、外部からデータ受信した文字パターンをメモリ部１４へ登録することもできる。
【００３６】
すなわち、ユーザが操作部１７の操作キー２、或いはサイドキー１０を操作すると、ベースバンドＩＣ１３がこれを検知し、メモリ部１４からキー操作に対応した文字パターンを読み出す。読み出された文字パターンは、制御マイコン２４に転送され、該制御マイコン２４は、Ｘ方向制御ドライバ２５及びＹ方向制御ドライバ２６を駆動してマトリクス配置された発光ダイオード８に文字のパターンを表示させる。
【００３７】
ここで、本発明は低消費電力で高輝度の表示を行わせることを特徴とするものであり、一般に従来使用されている液晶表示装置（ＬＣＤ）の消費電力及び輝度と対比してみることにする。
【００３８】
まず、本発明のＬＥＤ表示パネルの場合、発光ダイオードを３．２ｍｍピッチで９行１７列マトリクス配置すると約２．４インチ（５３．９ｍｍ×２８．３ｍｍ）となる。輝度は約４００ｃｄ／ｍ2で、そのときの消費電力は、１行づつ順次走査して点灯させるから、１灯の発光ダイオードに２０ｍＡの電流を流すと２０ｍＡ×９灯で１８０ｍＡになる。さらに制御部で１０ｍＡ程度電力を消費するから、合計で約１９０ｍＡが消費電力になる。
【００３９】
一方、ＬＣＤの輝度は、一般に２００ｃｄ／ｍ2であるが、２．４インチの画面で４００ｃｄ／ｍ2の輝度を得ようとすると、バックライトとして使用する発光ダイオード４灯に６０ｍＡの電流を流す必要がある。ＬＣＤ本体の消費電流が１０ｍＡであるので、合計で４灯×６０ｍＡ＋１０ｍＡとなり、２５０ｍＡが消費電力になる。
【００４０】
すなわち、本発明のＬＥＤ表示パネル９による表示とＬＣＤの表示とを対比すると、ＬＥＤ表示パネル９は、解像度では劣るものの、輝度、消費電力、遠くからの視認性に優れたものと言える。
【００４１】
以上のように、本発明の実施の形態１によれば、低消費電力で高輝度の表示装置が得られる。
【００４２】
また、比較的重量のある電池２０を操作側筐体１に収納し、ＬＥＤ表示パネル９を表示側筐体４に設けているので、ＬＥＤ表示パネル９を電池２０と同じ操作側筐体１に設けた場合と比べて重量バランスがよくなり、操作性がよくなる。
【００４３】
また、サイドキー１０の操作によりＬＥＤ表示パネル９に時間表示のパターンや文字パターンを表示させることができるので、操作側筐体１及び表示側筐体４を閉じた状態で、容易に表示を行わせることができる。
【００４４】
次に、本発明の実施の形態２について説明する。
【００４５】
第５図は、二つ折れ型の携帯電話機に本発明を適用した実施の形態２を示す斜視図である。この実施の形態２は、ヒンジ３によって操作側筐体１及び表示側筐体４が開閉可能に構成されていると共に、回転軸２７によって表示側筐体４がヒンジ３の軸心と垂直な方向を軸として回転可能にした構成したものである。
【００４６】
第５図（ｂ）は、通常の状態であり、主表示部６は、操作側筐体１及び表示側筐体４を閉じたとき、操作側筐体１と向かい合うようになっている。この通常の状態では、ユーザは、主表示部を見ながら操作キー２を操作できるようになっている。
【００４７】
第５図（ａ）は、表示側筐体４が回転軸２７を軸として９０°回転した状態を示している。
【００４８】
第５図（ｃ）は、表示側筐体４をさらに回転させ、１８０°回転した状態である。この状態では、ユーザは、ＬＥＤ表示パネル９を見ながら操作キー２を操作できるようになっている。
【００４９】
したがって、この実施の形態２ではＬＥＤ表示パネル９の表示を見ながら操作キー２を操作することができる。
【００５０】
次に、本発明の実施の形態３について説明する。
【００５１】
第６図は、カメラ付携帯電話機に本発明を適用した実施の形態３を示す斜視図である。第６図において、表示側筐体４の背面側にはカメラ２３が設けられている。このカメラ２３は、発光ダイオード８が投光するする方向に向けて配置されている。また、カメラ２３の近傍には周囲の明るさを検知する光センサ２９が設けられている。
【００５２】
この実施の形態３では、ＬＥＤ表示パネル９の発光ダイオード８をカメラ２３撮影時にフラッシュとして使用するようにしたものである。すなわち、カメラ２３のシャッタボタン（図示せず）の操作に連動して発光ダイオード８を発光させるものである。発光ダイオード８は、９行１７列にマトリクス配置しており、最大で同時に９灯の発光ダイオード８が発光する。
【００５３】
一般に、フラッシュとして発光ダイオード８を用いる場合は、白色に発光させるが、別な発光色、例えば赤、青等の発光をさせれば、ユーザの好みで自然色と異なる撮影を楽しむことができる。
【００５４】
また、ＬＥＤ表示パネル９をフラッシュとして用いた場合、この実施の形態３では最大９灯の発光ダイオード８を点灯させることができるが、周囲の明るさが明るい場合には、点灯させる発光ダイオード８の個数を制限するようにしてもよい。点灯させる発光ダイオード８の個数を制限する手段としては、ユーザが点灯する個数を操作キー２の操作により設定入力するようにしてもよく、また、周囲の明るさを検知する光センサ２９の検知出力に基づいてベースバンドＩＣ１３が自動設定するようにしてもよい。
【００５５】
次に、本発明の実施の形態４について説明する。
【００５６】
第７図は、ＬＥＤ表示パネルを取り替え可能にした実施の形態４を示す斜視図である。第７図において、９１及び９２はそれぞれＬＥＤ表示パネルであり、表示側筐体４背面側に設けた表示窓３０に着脱可能になっている。ＬＥＤ表示パネル９１、９２は、表示窓３０に装着することにより、接続コネクタ３１を介して携帯電話機本体に電気接続されるようになっている。
【００５７】
すなわち、ＬＥＤ表示パネル９１、９２は、例えば発光色の異なる発光ダイオード８がマトリクス配置されたＬＥＤ表示パネルであり、例えば、一方のＬＥＤ表示パネル９１が単色の発光をするの発光ダイオード８がマトリクス配置されたものであり、他方のＬＥＤ表示パネル９１が別の単色の発光をするの発光ダイオード８、または２色以上の発光をするの発光ダイオード８がマトリクス配置されたものである。
【００５８】
したがって、ユーザは好みのＬＥＤ表示パネル９１、９２を装着して表示を楽しむことができる。また、この実施の形態４ではＬＥＤ表示パネル９１、９２を表示窓３０に着脱可能にしているので、故障した場合に容易に取り替えることができるものである。
【００５９】
次に、本発明の実施の形態５について説明する。
【００６０】
第８図は、ＬＥＤ表示パネル９の発光ダイオード上に該発光ダイオードの配置に合わせた格子板を設けたものであり、さらに格子板は格子の形状が異なる別の格子板と取り替え可能にした実施の形態５を示す斜視図である。第８図において、３２ａ、３２ｂはマトリクス配置された発光ダイオード８の配置に合わせた格子孔を形成した格子板であり、表示窓３０に選択的に装着される。格子板３２ａは格子孔の形状が丸形であり、格子板３２ｂは格子孔の形状が矩形をしている。
【００６１】
さらに、表示窓３０に組み込まれた格子板３２ａ、３２ｂ上には光を拡散する拡散シート３３が装着され、かつ、拡散シート３３上には透明のウインドウ３４が表示窓に装着される。したがって、発光ダイオード８の投光する光は格子板３２ａまたは３２ｂの格子孔、拡散シート、及びウインドウを通して外部へ投光される。
【００６２】
この実施の形態５では、格子孔の形状が異なる格子板３２ａ、３２ｂを適宜、交換することができるので、ＬＥＤ表示パネル９に表示される画像のドット形状を替えることが可能になる。格子孔の形状はこの実施の形態では丸形と矩形にしているが、星形等、他の形状であってもよい。
【００６３】
また、この実施の形態５では、格子板３２ａ、３２ｂ上に拡散シート３３を設け、発光ダイオード８の発光する光を拡散させた後、外部に投光するものとしているので、ＬＥＤ表示パネル９の表示が全体的にやわらかく、なめらかな表示になる。
【００６４】
次に、本発明の実施の形態６について説明する。
【００６５】
第９図は、ウインドウ３４を異なる色の別のウインドウ３４に取り替え可能にした実施の形態６を示す斜視図である。第９図において、３４ａ、３４ｂ異なる色を着色したウインドウであり、適宜、何れかのウインドウ３４ａ、３４ｂが拡散シート３３上に配置されて表示窓３０に装着される。
【００６６】
したがって、ウインドウ３４ａ、３４ｂが取り替え可能になっているので、発光ダイオード８が単色の発光素子であっても、異なる色の表示を行うことができる。
【００６７】
次に、本発明の実施の形態７について説明する。
【００６８】
第１０図は、拡散シート３３を異なる色の別の拡散シート３３に取り替え可能にした実施の形態７を示す斜視図である。第１０図において、３３ａ、３３ｂ異なる色を着色した拡散シートであり、適宜、何れかの拡散シート３４ａ、３４ｂが格子板３２上に配置されて表示窓３０に装着される。
【００６９】
したがって、実施の形態６と同様に、拡散シート３３ａ、３３ｂが取り替え可能になっているので、発光ダイオード８が単色の発光素子であっても、異なる色の表示を行うことができると共に、透過率の異なる拡散シート３３ａ、３３ｂを取り替えることにより、発光ダイオード８をぼんやり光らせたり、はっきり光らせたりすることができる。
【００７０】
以上本発明の各実施の形態を述べたが、本発明の携帯機器では低消費電力で高輝度の表示を活かして、各種の使用形態が考えられる。
【００７１】
第１１図は、その一例を示したもので、充電ホルダに搭載された携帯電話機のＬＥＤ表示パネル９に時間パターンを表示させるようにしたものである。
【００７２】
第１１図において、３５は携帯電話機の電池２０を充電する充電ホルダであり、外部電源に接続するための接続コード３６が接続されている。充電ホルダ３５上に搭載された携帯電話機は、ＬＥＤ表示パネル９に時間パターンを表示する。
【００７３】
すなわち、第３図において、ユーザは予め充電中に時計表示する設定を操作部１７の操作キー２を操作することにより設定しておく。この設定はベースバンドＩＣ１３により、メモリ部１４に記憶される。
【００７４】
充電ホルダ３５上に携帯電話機が搭載され、充電端子２１へ外部電源が供給されると、電源制御部１９がこれを検出して、電池２０に充電を開始すると共に、ベースバンドＩＣ１３に充電中であることを通知する。
【００７５】
ベースバンドＩＣ１３は、メモリ部１４を参照することにより、充電中の設定がＬＥＤ表示パネル９に時間パターンを表示する設定になっていることを知ると、ＲＴＣ１８から現在の時刻データを読み出す。
【００７６】
読み出した時刻データは、ベースバンドＩＣ１３内でメモリ部１４に格納されている表示パターンデータに変換され、ＬＥＤ表示パネル９を制御する制御マイコン２４に転送される。表示パターンデータを受け取った制御マイコン２４はＸ方向制御ドライバ２５とＹ方向制御ドライバ２６を介してＬＥＤ表示パネル９に時計表示のパターンを点灯させる。なお、ベースバンドＩＣ１３は、一定時間ごとにＲＴＣ１０６より現在の時刻データを読み出し、ＬＥＤ表示パネル９の時刻表示を更新する。
【００７７】
この使用例においては、充電ホルダ３５上に携帯電話機が搭載されてときＬＥＤ表示パネル９に時刻表示を行うものとしたが、文字表示等、他の表示を行うようにしてもかまわない。
【００７８】
次に、第１２図は、別の使用例を示したもので、二つの携帯電話機を用いて相性占いを行うようにした使用例を示す図である。
【００７９】
第１２図は、２台の携帯電話機の表示側筐体４ａ、４ｂの背面側を示したものであり、８ａ、８ｂはマトリクス配列された発光ダイオード、９ａ、９ｂＬＥＤ表示パネルである。この使用例としては、各携帯電話機に近距離データ通信手段としての赤外線通信手段２２ａ、２２ｂが設けられている。
【００８０】
以下、第３図により動作を説明する。
【００８１】
すなわち、二つの携帯電話機を、それぞれのユーザが操作キー２を操作して相性占いモードに設定する。それぞれの携帯電話機のベースバンドＩＣ１３は、相性占いモードを認識すると、メモリ部１４に格納されている相性占いプログラムを起動する。その後、二つの携帯電話機を赤外線通信可能な距離に近づけ、各ユーザが通信開始キーを操作すると、ベースバンドＩＣ１３は、メモリ部１４に格納されている生年月日や血液型などの情報を赤外線通信手段２２ａ経由で相手側の携帯電話機へ送信する。赤外線通信手段２２ｂ経由でデータを受け取った相手側携帯電話装置は、同様にメモリ部１４に格納されている生年月日や血液型などの情報を赤外線通信手段２２ｂ経由で返信する。
【００８２】
二つの携帯電話機内のベースバンドＩＣ１３は、おのおの相手方の情報と自分の情報を比較し、メモリ部１４に格納されているプログラムに従って相性を演算し、その結果の表示パターンデータを制御マイコン２４へ転送する。表示パターンデータを受け取った制御マイコン２４はＸ方向制御ドライバ２５とＹ方向制御ドライバ２６を介してＬＥＤ表示パネル９ａ、９ｂに表示パターンを表示させる。第１２図の表示例では２つのＬＥＤ表示パネル９ａ、９ｂを合わせて１つのハートマークを表示させて相性度合いを示しているが、他のマーク、図形、文字などであってもよい。また、２つのＬＥＤ表示パネル９ａ、９ｂを同期させて点滅表示させることも可能である。
【００８３】
また、第１３図は、防犯ベルとしての使用例を示す図である。
不慮の事故等によりユーザがキー１７操作により非常警報ボタンを押した場合、または、警察や消防に電話をかけた場合には、ベースバンドＩＣ１３はメモリ部１４のプログラムに従い音響部１１１を介してスピーカ１１２に緊急ブザー音を鳴動させるとともに、ＬＥＤ表示パネル９を点灯させる。第１３図に示したような「ＳＯＳ」の表示パターンデータはメモリ部１４に格納されており、ベースバンドＩＣ１３は、制御マイコン２４にその表示パターンデータを転送する。表示パターンデータを受け取った制御マイコン２０１はＸ方向制御ドライバ２５とＹ方向制御ドライバ２６を介してＬＥＤ表示パネル９に非常警報時のパターンを点灯させる。
【００８４】
したがって、この使用例では、警報音と共に高輝度の警報表示が可能になる。
【産業上の利用可能性】
【００８５】
本発明に係る携帯機器は、携帯電話機などの携帯無線端末、携帯情報端末等の分野で利用することができる。
【図面の簡単な説明】
【００８６】
【図１】二つ折れ型の携帯電話機に本発明を適用した実施の形態１を示す斜視図である。
【図２】実施の形態１に係る２つ折れ型携帯電話機を閉じた状態を示す斜視図である。
【図３】実施の形態１にかかる２つ折れ型携帯電話機ブロック構成図である。
【図４】本発明によるＬＥＤ表示パネルに画像を表示させた表示例を示した図である。
【図５】二つ折れ型の携帯電話機に本発明を適用した実施の形態２を示す斜視図である。
【図６】カメラ付携帯電話機に本発明を適用した実施の形態３を示す斜視図である。
【図７】ＬＥＤ表示パネルを取り替え可能にした実施の形態４を示す斜視図である。
【図８】ＬＥＤ表示パネルの発光ダイオード上に該発光ダイオードの配置に合わせた格子板を設けた実施の形態５を示す斜視図である。
【図９】ウインドウを異なる色の別のウインドウに取り替え可能にした実施の形態６を示す斜視図である。
【図１０】拡散シートを異なる色の別の拡散シートに取り替え可能にした実施の形態７を示す斜視図である。
【図１１】充電ホルダに搭載された携帯機器のＬＥＤ表示パネルに時間パターンを表示させるようにした使用例を示す斜視図である。
【図１２】二つの携帯電話機を用いて相性占いを行うようにした使用例を示す図である。
【図１３】防犯ベルとしての使用例を示す図である。
【符号の説明】
【００８７】
１  操作側筺体、３  ヒンジ、４  表示側筺体、６  主表示部、８  発光ダイオード、９  ＬＥＤ表示パネル、１０  サイドキー、１３  ベースバンドＩＣ、１４  メモリ部、１７  操作部、１８  ＲＴＣ、２０  電池、２４  制御マイコン、２５  Ｘ方向制御ドライバ、２６  Ｙ方向制御ドライバ。
【図１】
2007006508.tif 000003
【図２】
2007006508.tif 000004
【図３】
2007006508.tif 000005
【図４】
2007006508.tif 000006
【図５】
2007006508.tif 000007
【図６】
2007006508.tif 000008
【図７】
2007006508.tif 000009
【図８】
2007006508.tif 000010
【図９】
2007006508.tif 000011
【図１０】
2007006508.tif 000012
【図１１】
2007006508.tif 000013
【図１２】
2007006508.tif 000014
【図１３】
2007006508.tif 000015